(57)【特許請求の範囲】
【請求項１】
樹脂材料から成る複数の層が積層された積層基板と、該積層基板の表面上に設けられた複数の電極パッドと、前記複数の層の間に設けられた複数の導体パターンとを備えており、該複数の導体パターンは帯状であって、該複数の導体パターンの少なくとも１つは第１部分および第２部分を有しており、前記第１部分は前記複数の電極パッドの１つと前記複数の層の積層方向に重なっており、前記第２部分は前記複数の電極パッドと前記積層方向に重なっておらず、前記第１部分の幅が前記第２部分の幅よりも大きいとともに、
前記表面に対して垂直な方向から見たときに、前記第１部分が前記第１部分に重なる前記電極パッドよりも幅が大きい撮像用部品。
【請求項２】
前記表面に対して垂直な方向から見たときに、前記第１部分の重心が、前記第１部分に重なる前記電極パッドの重心よりも、前記積層基板の重心から遠くに位置している請求項１に記載の撮像用部品。
【請求項３】
請求項１または請求項２に記載の撮像用部品と、該撮像用部品の前記複数の電極パッドに実装された撮像素子とを備えた撮像モジュール。
【発明の詳細な説明】
【技術分野】
【０００１】
本開示は、撮像用部品およびこれを備える撮像モジュールに関するものである。
【背景技術】
【０００２】
撮像用部品として、例えば、特開２００４−１０４０７８号公報（以下、特許文献１ともいう）に記載のカメラモジュールが知られている。特許文献１に記載のカメラモジュールはフレキシブルシートとフレキシブルシートの表面に実装された撮像素子とを備えている。
【先行技術文献】
【特許文献】
【０００３】
【特許文献１】特開２００４−１０４０７８号公報
【発明の概要】
【０００４】
本開示の撮像用部品は、樹脂材料から成る複数の層が積層された積層基板と、該積層基板の表面上に設けられた複数の電極パッドと、前記複数の層の間に設けられた複数の導体パターンとを備えており、該複数の導体パターンは帯状であって、該複数の導体パターンの少なくとも１つは第１部分および第２部分を有しており、前記第１部分は前記複数の電極パッドの１つと前記複数の層の積層方向に重なっており、前記第２部分は前記複数の電極パッドと前記積層方向に重なっておらず、前記第１部分の幅が前記第２部分の幅よりも大きいとともに、前記表面に対して垂直な方向から見たときに、前記第１部分が前記第１部分に重なる前記電極パッドよりも幅が大きい。
【図面の簡単な説明】
【０００５】
【図１】撮像用部品および撮像モジュールを示す断面図である。
【図２】図１に示す撮像用部品のうち積層基板の表面の様子を示す模式図である。
【図３】図１に示す撮像用部品のうち導体パターンの配線形状を示す模式図である。
【図４】電極パッドおよび導体パターンを示す部分平面透視図である。
【図５】電極パッド、導体パターンの第１部分および積層基板を示す部分平面透視図である。
【図６】電極パッドおよび導体パターンを示す部分平面透視図である。
【図７】電極パッドおよび導体パターンを示す部分平面透視図である。
【図８】電極パッドおよび導体パターンを示す部分平面透視図である。
【発明を実施するための形態】
【０００６】
以下、図面を参照して、撮像用部品１０について説明する。図１に示すように撮像用部品１０は、積層基板１と、積層基板１の上面に設けられた電極パッド２と、積層基板１の層間に設けられ電極パッド２と電気的に接続された導体パターン３とを備えている。また、撮像モジュール１００は、撮像用部品１０と撮像用部品１０の電極パッド２に実装された撮像素子４とを備えている。
【０００７】
積層基板１は、樹脂材料から成る。樹脂材料としては、例えば、エポキシ樹脂が用いられる。なお、ここでいう「樹脂材料から成る」とは、必ずしも積層基板が樹脂材料のみから成るという意味ではなく、他の材料を含んでいてもよい。具体的には、ガラス繊維にエポキシ樹脂を染み込ませたような、いわゆるガラスエポキシ等から成っていてもよい。積層基板１は、例えば、ガラスエポキシ基板を積層することによって作製することができる。図２に示すように、積層基板１は、例えば、主面の形状が四角形状の板状である。積層基板１の寸法は、積層基板１が四角形状の場合には、例えば、縦を１５〜２０ｍｍ、横を１５〜２０ｍｍ、厚みを０．５〜２ｍｍに設定できる。より具体的には、積層基板１は複数の層１１を有している。複数の層１１のそれぞれの層の厚みは、例えば、０．０５〜０．２ｍｍである。
【０００８】
電極パッド２は、撮像素子４を積層基板１に実装するための部材である。電極パッド２は、積層基板１の上面に複数設けられている。図１および図２に示すように、電極パッド２は、例えば、断面視したときの形状が矩形状であり、平面視したときの形状が円形状である。なお、図２においては、撮像素子４、電極パッド２および半田ボール６を透過して積層基板１の表面の様子を描いている。
【０００９】
電極パッド２は、例えば、銅または金等の金属材料から成る。電極パッド２の寸法は、電極パッド２を平面視したときの形状が円形状の場合には、例えば、直径を０．１〜１ｍｍ、厚みを０．０１〜０．０５ｍｍに設定できる。撮像素子４を実装するための方法としては、例えば、ボールグリッドアレイ等を用いることができる。図１に示すように、本開示の撮像用部品１０においては、ボールグリッドアレイを用いて撮像素子４が実装されており、複数の半田ボール６が撮像素子４の下面と電極パッド２の上面との間に設けられている。
【００１０】
導体パターン３は、電極パッド２に実装される撮像素子４から発せられた信号をモニター等の他の電子部品５に伝えるための部材である。導体パターン３は帯状の部材である。導体パターン３は、積層基板１の層間に設けられている。導体パターン３は、例えば、銅または金等の金属材料から成る。
【００１１】
ここで、本開示の撮像用部品１０においては、図２、３に示すように、少なくとも１つの導体パターン３の一部は、接続されていないいずれかの電極パッド２の直下に位置する部位が幅広とされた幅広部３１を備えている。ここでいう、「幅広部」とは、一定の幅で伸びる導体パターン３において部分的に幅が広くなった部分を指している。具体的には、図３に示すように、導体パターン３が帯状に伸びている場合には、導体パターン３の伸びる方向で見たときに導体パターン３の幅が変わりだした部分と幅が変わり終えた部分に、導体パターン３の伸びる方向に対して垂直な仮想線を引く。導体パターン３のうち、この２本の仮想線に挟まれた領域を幅広部３１として見なすことができる。
【００１２】
言い換えると、撮像用部品１０は、樹脂材料から成る複数の層１１が積層された積層基板１と、積層基板１の表面上に設けられた複数の電極パッド２と、複数の層１１の間に設けられた複数の導体パターン３とを備えている。複数の導体パターン３は帯状である。複数の導体パターン３の少なくとも１つは第１部分３１および第２部分３２を有している。第１部分３１は複数の電極パッド２の１つと複数の層１１の積層方向に重なっている。第２部分３２は複数の電極パッド２と積層方向に重なっていない。第１部分３１の幅が第２部分３２の幅よりも大きい。導体パターン３は、複数の層１１を積層する際に複数の層１１の表面にプリントすることで形成できる。
【００１３】
なお、図３に示す導体パターン３においては、理解を助けるために導体パターン３を意図的に簡略化して直線状に記載している。導体パターン３は、複雑な形状に形成されていてもよい。したがって、図２と図３とは対応関係が取れているが、厳密な意味では図１の導体パターン３の配置と図３の導体パターン３の配置は対応していない。また、ここでいう「接続されていないいずれかの電極パッド２」とは、電極パッド２と導体パターン３とが完全に電気的に独立しているという意味ではない。具体的には、導体パターン３の幅広部３１と、この直上に位置する電極パッド２とが、スルーホール等によって直接的に接続させている場合を除外しているものであって、電源またはグランド等が共通していることによって間接的に接続されていたとしても構わない。
【００１４】
このように、導体パターン３のうち電極パッド２の直下に位置する部分に幅広部３１を有することによって、積層基板１のうち電極パッド２の直下の部分が沈んでしまうことを低減できる。また、導体パターン３のうち電極パッド２の直下に位置する部分以外の領域を電極パッド２の直下に位置する部分よりも幅を狭くすることによって、導体パターン３の高密度な引き回しが可能になる。その結果、導体パターン３を高密度に引き回しつつも、撮像素子４の位置精度の低下が低減された撮像用部品１０とすることができる。
【００１５】
ここで、平面透視において、幅広部３１の外形が、電極パッド２の外形と同形状であってもよい。言い換えると、積層基板１の表面に対して垂直な方向から見たときに、第１部分３１の外形と第１部分３１に重なる電極パッド２の外形とが同じ形状であってもよい。このような構成とすることで、導体パターン３の表面における電極パッド２から伝わる応力の偏りを低減できる。そのため、撮像用部品１０に生じる変形を低減できる。
【００１６】
なお、ここでいう「同形状」とは、幅広部３１の外形のうち導体パターン３の伸びる方向以外の部分の形状が、電極パッドの外形と同じ形状であることを意味している。例えば、図３においては、幅広部３１の外形のうち導体パターン３の伸びる方向以外の部分の形状が円形状になっていると見なすことができる。そして、図２に示すように、電極パッド２は円形状である。すなわち、本開示においては、幅広部３１と電極パッド２とが同形状である。
【００１７】
また、図４に示すように、導体パターン３のうち、幅広部３１が電極パッド２よりもさらに幅広であってもよい。言い換えると、積層基板１の表面に対して垂直な方向から見たときに、第１部分３１が第１部分３１に重なる電極パッド２よりも幅が大きくてもよい。これにより、ヒートサイクル下において、電極パッド２と導体パターン３との位置関係にずれが生じたとしても、電極パッド２の直下に導体パターン３を位置させることができる。より具体的には、例えば、電極パッド２の平面視したときの形状が円形状の場合には、導体パターン３の幅広な部分の形状を電極パッド２よりも大きな円形状にすればよい。
【００１８】
また、図５、６に示すように、積層基板１の表面に対して垂直な方向から見たときに、第１部分３１が第１部分３１に重なる電極パッド２よりも幅が大きく、かつ、第１部分３１のそれぞれの重心が、第１部分３１に重なる電極パッド２のそれぞれの重心よりも、積層基板１の重心から遠くに位置していてもよい。図５においては、理解を助けるために、導体パターン３のうち第１部分３１のみを示している。より具体的には、積層基板１の重心と電極パッド２の重心とを結ぶ直線の延長線上に第１部分３１の重心が位置していてもよい。
【００１９】
ヒートサイクル下において、積層基板１の内部よりも表面の方が熱膨張および熱収縮が大きくなる。第１部分３１の幅を電極パッド２の幅よりも大きくしつつ、かつ、重心を積層基板１の外側にずらしておくことによって、ヒートサイクル下において電極パッド２の位置がずれたとしても、第１部分３１に重なりやすくすることができる。
【００２０】
また、図７に示すように、導体パターン３のうち折れ曲がる部分に第１部分３１が位置してもよい。言い換えると、導体パターン３のうち折れ曲がる部分において幅が大きくなっていてもよい。一般的に導体パターン３のうち折れ曲がる部分は、他の部分からの熱応力の影響を受けやすい。具体的には、導体パターン３のうち直線状の部分は、主に、長さ方向に熱膨張が生じる。これに対して、導体パターン３のうち折れ曲がる部分は、折れ曲がる部分と隣接する２つの直線状の部分から熱応力を受けることから、熱膨張が生じる方向を制御することが困難になる。ここで、図７に示すように、導体パターン３のうち折れ曲がる部分に第１部分３１を位置させておくことによって、折れ曲がる部分自体の熱膨張を大きくすることができる。これにより、他の部分が熱膨張することによって生じた熱応力によって第１部分３１が予想外の方向に熱膨張してしまうおそれを低減できる。これにより、撮像用部品１０のヒートサイクル下における信頼性を向上できる。
【００２１】
また、図８に示すように、隣り合うの第１部分３１同士の間隔が等しくなるように配列されていてもよい。第１部分３１が等間隔に並んでいることによって、ヒートサイクル下における積層基板１における熱膨張量に偏りが生じるおそれを低減できる。そのため、積層基板１に歪みが生じてしまうおそれを低減できる。
【符号の説明】
【００２２】
１：積層基板
１１：層
２：電極パッド
３：導体パターン
３１：幅広部
４：撮像素子
５：電子部品
１０：撮像用部品
１００：撮像モジュール
【図１】
0006454001.tif 000002
【図２】
0006454001.tif 000003
【図３】
0006454001.tif 000004
【図４】
0006454001.tif 000005
【図５】
0006454001.tif 000006
【図６】
0006454001.tif 000007
【図７】
0006454001.tif 000008
【図８】
0006454001.tif 000009